(57)【要約】      （修正有）【課題】泥酔者などを車内に保護する際に簡易に使用でき、かつ確実に装着でき座席の汚れを防止できる座席用カバーシートを提供する。【解決手段】シート本体と、シート本体の長手方向一端部寄りに幅方向に長い切れ目２を形成し、該切れ目２の幅が、ヘッドレストの取付部の幅より大きく、この切れ目２が、シート本体の長手方向の一端部寄り及び他端部寄りの両方に形成されている。【選択図】図１
0003204665.tif 000002
【実用新案登録請求の範囲】
【請求項１】
シート本体と、
シート本体の長手方向一端部寄りに幅方向に長い切れ目を形成し、
該切れ目の幅が、ヘッドレストの取付部の幅より大きいこと
を特徴とする座席用カバーシート。
【請求項２】
前記切れ目が、シート本体の長手方向の一端部寄り及び他端部寄りの両方に形成されていることを特徴とする請求項１に記載の座席用カバーシート。
【請求項３】
前記切れ目の両端が、長手方向内側に弧を描く、外向き凸の円弧形状に形成されていることを特徴とする請求項１または２に記載の座席用カバーシート。
【考案の詳細な説明】
【技術分野】
【０００１】
この考案は、座席用カバーシートに関するものである。特に不特定多数の者を乗車させる可能性がある車両や濡れたり汚れたりしたまま乗車しなければならないことがある車両、あるいは犬や猫などのペットを屋外で遊ばせたのち乗せる場合などに好適に使用される座席用カバーシートである。
【背景技術】
【０００２】
従来、警察車両には、泥酔者を保護したり、着衣が汚れた人を乗せ警察署まで移動しなければならないことがあり、その間に座席が汚れることがあった。あるいは、屋外で作業したり雨に濡れたりした後、そのまま乗車すると座席が汚れと雨でシミになってしまうことがあった。このような時、座席の清掃に時間と労力を要し、車両をすぐ使用できない事態もあった。
また、車内に犬等のペットを乗せるとき、車外で遊ばせたのち汚れた足のまますぐに乗せると座席が汚れ、汚れを落とすのが大変になることがあった。
このような場合に使用されるシートとして下記文献のシートがある。このシートは、シートの両端に紐を伸ばし、その紐をヘッドレストに止めるものである。
【先行技術文献】
【特許文献】
【０００３】
【特許文献１】特開２０００−３１６４０４号公報
【考案の概要】
【考案が解決しようとする課題】
【０００４】
しかし、上記文献に記載されたものは、シートに紐を取り付けなければならず、製作に手間がかかると共に、手間がかかる分、安価に提供することが難しいものであった。本考案は、前記のような場合に好適に使用され、容易に生産でき、しかも簡易、確実に使用できると共に安価に提供することを可能とする座席カバーを提供することを課題とするものである。
【課題を解決するための手段】
【０００５】
本考案座席用カバーシートの第１の特徴は、
シート本体と、
シート本体の長手方向一端部寄りに幅方向に長い切れ目を形成し、
該切れ目の幅が、ヘッドレストの取付部の幅より大きいことにある。
本考案座席用カバーシートの第２の特徴は、
前記切れ目が、シート本体の長手方向の一端部寄り及び他端部寄りの両方に形成されていることにある。
本考案座席用カバーシートの第３の特徴は、
前記切れ目の両端が、長手方向内側に弧を描く、外向き凸の円弧形状に形成されていることにある。この形状の切れ目を、以下においては、両端円弧形状切れ目ともいう。
この場合、この両端円弧形状切れ目は、シート本体の長手方向両端部に形成されているのが好ましい。
【考案の効果】
【０００６】
第１の特徴を有することにより、本考案は、自動車のヘッドレストに容易かつ確実に装着でき、しかも座席が汚れるのを防止することができる。
第２の特徴を有することにより、本考案は、自動車に装着する際に長手方向の向きを確認する必要がなく、素早く装着することができるものである。
第３の特徴を有することにより、本考案は、ヘッドレストに装着する開口を大きく開くことができ、しかも切れ目が避けるのを防止することができるものである。
【図面の簡単な説明】
【０００７】
【図１】本考案の一実施例を示す正面図である。
【図２】上記実施例を自動車のヘッドレストへ取り付ける状態を示す斜視図である
【図３】上記実施例を自動車のヘッドレストへ取り付けた状態を示す斜視図である
【考案を実施するための形態】
【０００８】
以下、実施態様につき説明する。
【０００９】
図１は、本考案の座席用カバーシート１の一実施例を示す斜視図である。２は切れ目である。座席用カバーシート１は、柔軟で若干の伸縮性を有する薄い発泡シートの一面をフイルム化した不通水性の樹脂シートが好適に使用され、大きさは、幅が８０から１２０ｃｍ、長さが１５０〜１８０ｃｍが折り畳んで持ち運ぶ際、広げて座席に広げる作業性、及び座席を好適に覆う上で好ましい。
切れ目２は、座席用カバーシート１の長手方向端部１１,１１に形成されており、長手方向両端から２０〜４０ｃｍの範囲にそれぞれ形成するのが、切れ目から裂けるのを防止する上で、及び座席の背もたれの上端部を覆う上で好適である。
【００１０】
切れ目２の幅方向両端２１，２１は、長手方向内側に弧を描いており、外向き凸の円弧形状部２２，２２に形成されている。このように形成されていることにより、ヘッドレストに装着する際には、円弧の直径幅分の舌片３を座席用カバーシートに直交する方向に折り曲げることにより、幅広の開口４を形成することができ、ヘッドレストへの装着作業性が容易となると共に、装着した後は円弧の直径幅分の舌片３がシートの復元力によって開口を覆い、座席が不用意に汚れるのを防止する。
【００１１】
本考案の座席用カバーシート１を使用する際は、図２に示すように、ヘッドレスト５を上方に上げ、座席用カバーシート１の開口４にヘッドレスト５を通して、ヘッドレスト５の下側に押し込んだ後、ヘッドレスト５を押し下げヘッドレスト５と座席６の上端との間に挟むように座席用カバーシート１を装着する。そして座席用カバーシート１の下部は座席上面に沿わせて座席６の前端を覆う。
【００１２】
本考案の座席用カバーシート１は、使用する際に速やかに取り出せるよう、車両のトランクやラゲッジルームに収納しておく。
【００１３】
本実施例は、このようになるので、車両、例えば泥酔者の保護なども行う警察車両や、屋外活動を行う子供達を連れて行うドライブの際の車両などにおいて、好適に使用される。  
あるいは、濡れたり汚れたりした衣類やレジャー用品をそのまま積むこともできる。また濡れた身体のままで乗り込んだり、砂や汚れの付着した遊具をそのまま積みこむこともできるなど広範囲に使用することができる。
なお、本実施例の座席用カバーシートを車両内に常備しておき、座席に使用する代わりに屋外に敷いて使用することもでき、この時、切れ目はあるが舌片３が開口４を塞いでいるので四角い敷物として使用することもできる。
また、本考案の座席用カバーシートは、車両に限らず、船舶や飛行機などの輸送手段の座席用カバーシート、あるいは、公共施設において使用される座椅子の座席用カバーシートとしても適用しうるものである。
【符号の説明】
【００１４】
１    座席用カバーシート
２    切れ目
３    舌片
４    開口
５    ヘッドレスト
６    座席
１１  長手方向端部
２１  幅方向両端
２２  円弧形状部
【図１】
0003204665.tif 000003
【図２】
0003204665.tif 000004
【図３】
0003204665.tif 000005